(57)【要約】【課題】荷物を収容する空間を確保し、容易に組み立てることができる段ボール製ベッドを提供する。【解決手段】  段ボールで構成された段ボール製ベッド１であって、筒状に形成され、長手方向に間隔をあけて配置される４つの脚部１０と、４つの脚部の上部に架け渡されて連結される３つのレール部３０と、３つのレール部に支持される床部４０と、を備え、互いに隣り合う脚部１０の間と、レール部３０または床部４０とによって囲まれた範囲には、荷物Ｂ１，Ｂ２を収容可能な収容空間Ｓ１，Ｓ２が形成される。【選択図】図１
0003215781.tif 000002
【実用新案登録請求の範囲】
【請求項１】
段ボールで構成された段ボール製ベッド（１，２）であって、
筒状に形成され、長手方向に間隔をあけて配置される複数の脚部（１０）と、
前記複数の脚部の上部に架け渡されて連結される複数のレール部（３０，６０）と、
前記複数のレール部に支持される床部（４０，７０）と、を備え、
互いに隣り合う前記脚部の間と、前記レール部または前記床部とによって囲まれた範囲には、荷物（Ｂ１，Ｂ２）を収容可能な収容空間（Ｓ１，Ｓ２）が形成されることを特徴とする段ボール製ベッド。
【請求項２】
前記脚部は、
角筒状に形成された周壁（１０Ｗ）と、
前記周壁の下端部に連設され、前記周壁の下端面を閉じるフラップ（１５）と、を含んでいることを特徴とする請求項１に記載の段ボール製ベッド。
【請求項３】
前記フラップの先端部には、前記フラップによって前記周壁の下端面を閉じた状態で前記周壁の内側に差し込まれる差込片（１４Ａ）が連設されていることを特徴とする請求項２に記載の段ボール製ベッド。
【請求項４】
前記脚部は、上端から下方に向かって切り込まれた第１係合溝（１２Ａ）を有し、
前記レール部は、下端から上方に切り込まれて前記第１係合溝に噛み合う第２係合溝（３２Ａ）を有していることを特徴とする請求項１ないし３のいずれかに記載の段ボール製ベッド。
【請求項５】
前記床部は、
前記複数のレール部の上面に載置される内板部（４１，７１）と、
前記内板部に重なる床面板（４５，７５）と、前記床面板の周縁部から下方に延びた状態に形成されて前記複数の脚部の上部に嵌合する床周壁（４４Ｗ，７４Ｗ）とを有する床トレイ（４４，７４）と、を含んでいることを特徴とする請求項１ないし４のいずれかに記載の段ボール製ベッド。
【請求項６】
前記内板部は、
前記複数のレール部の上面に載置される板本体（４２Ｂ）と、前記板本体の長手方向両端部に連設され、下方に折曲して前記複数のレール部の端面に重なる一対の床フラップ（４２Ｃ）と、を有する下内板（４２，７２）と、
前記下内板の前記板本体の上面に重ねて配置される上内板（４３，７３）と、を含んでいることを特徴とする請求項５に記載の段ボール製ベッド。
【請求項７】
長手方向の最外端に配置された前記脚部の内部に差し込まれて前記床部の上面よりも上方に延設されるヘッドボード（５０）を更に備えていることを特徴とする請求項１ないし６のいずれかに記載の段ボール製ベッド。
【請求項８】
前記複数の脚部は、長手方向一方から他方に向かって第１の間隔をあけて２つ以上配置され、且つ長手方向他方の前記脚部の他端面に対して第１の間隔よりも短い第２の間隔をあけて１つ配置されており、
長手方向の最も他端に配置された前記脚部の内部には、前記ヘッドボードの下部を差し込むための支持溝（２８）を含むスペーサ（２０）が嵌合しており、
前記レール部および前記床部は、前記ヘッドボードの差し込みを許容するために前記スペーサの前記支持溝を避けた位置に配置されることを特徴とする請求項７に記載の段ボール製ベッド。
【請求項９】
前記複数の脚部は、３つ以上配置され、
前記レール部（６０）は、長手方向に一列に並べられた複数の分割レール部（６５）を含み、
前記床部（７０）は、前記複数の分割レール部に対応して長手方向に一列に並べられた複数の分割床部（７６）を含み、
前記分割レール部は、少なくとも隣り合う２つの前記脚部に架設されることを特徴とする請求項１ないし８のいずれかに記載の段ボール製ベッド。
【考案の詳細な説明】
【技術分野】
【０００１】
本考案は、段ボール製ベッドに関する。
【背景技術】
【０００２】
容易に組み立てることのできる段ボール製ベッドが知られている。
【０００３】
例えば、特許文献１に記載の段ボールベッドは、２つの箱形構造体と１つのソファ形構造体とを並べることで構成されている。箱形構造体は略直方体状に形成され、ソファ形構造体は長方形部の一端部に立上り部を連続させた略Ｌ字状に形成されている。各々の構造体は、所定間隔ごとに垂直な状態で配列された複数の補強板と、各補強板の周辺部に沿って巻き付けられた外面板と、を備えている。外面板の両端部は、鈍角に折り曲げた状態で補強板の第１および第２取付溝に差し込まれており、使用時に荷重が加わると第１および第２取付部に食い込むことになる。
【先行技術文献】
【特許文献】
【０００４】
【特許文献１】実用新案登録第３０７４３９０号公報
【考案の概要】
【考案が解決しようとする課題】
【０００５】
上記した段ボールベッドには脚等が無く、各構造体が設置面に直置きされただけであった。したがって、この段ボールベッドには、人が横になる床面の下方に荷物を収容するスペース等を設けることができなかった。このため、段ボールベッドを設置する部屋に荷物を置くためのスペースが別途必要になり、部屋のスペースを有効に利用することができなかった。また、複数の補強板を垂直な姿勢に保持しながら外面板を巻き付けるという作業は容易とは言えず、各構造体の組立作業に熟練と多くの時間を要するという問題があった。
【０００６】
本考案は、上記課題を解決するために、荷物を収容する空間を確保し、容易に組み立てることができる段ボール製ベッドを提供する。
【課題を解決するための手段】
【０００７】
上記した目的を達成するため、本考案は、段ボールで構成された段ボール製ベッドであって、筒状に形成され、長手方向に間隔をあけて配置される複数の脚部と、前記複数の脚部の上部に架け渡されて連結される複数のレール部と、前記複数のレール部に支持される床部と、を備え、互いに隣り合う前記脚部の間と、前記レール部または前記床部とによって囲まれた範囲には、荷物を収容可能な収容空間が形成される。
【０００８】
この場合、前記脚部は、角筒状に形成された周壁と、前記周壁の下端部に連設され、前記周壁の下端面を閉じるフラップと、を含んでいることが好ましい。
【０００９】
また、この場合、前記フラップの先端部には、前記フラップによって前記周壁の下端面を閉じた状態で前記周壁の内側に差し込まれる差込片が連設されていることが好ましい。
【００１０】
この場合、前記脚部は、上端から下方に向かって切り込まれた第１係合溝を有し、前記レール部は、下端から上方に切り込まれて前記第１係合溝に噛み合う第２係合溝を有していることが好ましい。
【００１１】
この場合、前記床部は、前記複数のレール部の上面に載置される内板部と、前記内板部に重なる床面板と、前記床面板の周縁部から下方に延びた状態に形成されて前記複数の脚部の上部に嵌合する床周壁とを有する床トレイと、を含んでいることが好ましい。
【００１２】
また、この場合、前記内板部は、前記複数のレール部の上面に載置される板本体と、前記板本体の長手方向両端部に連設され、下方に折曲して前記複数のレール部の端面に重なる一対の床フラップと、を有する下内板と、前記下内板の前記板本体の上面に重ねて配置される上内板と、を含んでいることが好ましい。
【００１３】
この場合、長手方向の最外端に配置された前記脚部の内部に差し込まれて前記床部の上面よりも上方に延設されるヘッドボードを更に備えていることが好ましい。
【００１４】
また、この場合、前記複数の脚部は、長手方向一方から他方に向かって第１の間隔をあけて２つ以上配置され、且つ長手方向他方の前記脚部の他端面に対して第１の間隔よりも短い第２の間隔をあけて１つ配置されており、長手方向の最も他端に配置された前記脚部の内部には、前記ヘッドボードの下部を差し込むための支持溝を含むスペーサが嵌合しており、前記レール部および前記床部は、前記ヘッドボードの差し込みを許容するために前記スペーサの前記支持溝を避けた位置に配置されることが好ましい。
【００１５】
この場合、前記複数の脚部は、３つ以上配置され、前記レール部は、長手方向に一列に並べられた複数の分割レール部を含み、前記床部は、前記複数の分割レール部に対応して長手方向に一列に並べられた複数の分割床部を含み、前記分割レール部は、少なくとも隣り合う２つの前記脚部に架設されることが好ましい。
【考案の効果】
【００１６】
本考案によれば、段ボール製ベッドにて荷物を収容する空間を確保することができる。また、段ボール製ベッドを容易に組み立てることができる。
【図面の簡単な説明】
【００１７】
【図１】本考案の第１実施形態に係る段ボール製ベッド等を示す斜視図である。
【図２】本考案の第１実施形態に係る段ボール製ベッドの脚部のブランクを示す平面図である。
【図３】本考案の第１実施形態に係る段ボール製ベッドのスペーサのブランクを示す平面図である。
【図４】本考案の第１実施形態に係る段ボール製ベッドのレール部のブランクを示す平面図である。
【図５】本考案の第１実施形態に係る段ボール製ベッドの下内板のブランクを示す平面図である。
【図６】本考案の第１実施形態に係る段ボール製ベッドの上内板のブランクを示す平面図である。
【図７】本考案の第１実施形態に係る段ボール製ベッドの床トレイのブランクを示す平面図である。
【図８】本考案の第１実施形態に係る段ボール製ベッドのヘッドボードのブランクを示す平面図である。
【図９】本考案の第１実施形態に係る段ボール製ベッドの脚部、スペーサおよびレール部を示す分解斜視図である。
【図１０】本考案の第１実施形態に係る段ボール製ベッドの脚部等、内板部および床トレイを示す分解斜視図である。
【図１１】本考案の第１実施形態に係る段ボール製ベッドの脚部等、床部およびヘッドボードを示す分解斜視図である。
【図１２】本考案の第１実施形態に係る段ボール製ベッドの脚部を底側から見た斜視図である。
【図１３】図１０のＸＩＩＩ−ＸＩＩＩ断面図である。
【図１４】本考案の第１実施形態に係る段ボール製ベッドのスペーサの組立途中を示す斜視図である。
【図１５】本考案の第１実施形態に係る段ボール製ベッドの床トレイを底側から見た斜視図である。
【図１６】図１１のＸＶＩ−ＸＶＩ断面図である。
【図１７】本考案の第１実施形態に係る段ボール製ベッドのヘッドボードの組立途中を示す斜視図である。
【図１８】本考案の第２実施形態に係る段ボール製ベッドを示す分解斜視図である。
【考案を実施するための形態】
【００１８】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向は、左右方向（長手方向）に直交（交差）し、上下方向は前後方向と左右方向とに直交（交差）している。本明細書では方向や位置を示す用語を用いるが、それらの用語は説明の便宜のために用いるものであって、本考案の技術的範囲を限定するものではない。
【００１９】
［第１実施形態］
図１ないし図８を参照して、第１実施形態に係る段ボール製ベッド１について説明する。図１は段ボール製ベッド１等を示す斜視図である。図２は脚部１０のブランク１０Ａを示す平面図である。図３はスペーサ２０のブランク２０Ａを示す平面図である。図４はレール部３０のブランク３０Ａを示す平面図である。図５は床部４０の下内板４２のブランク４２Ａを示す平面図であり、図６は床部４０の上内板４３のブランク４３Ａを示す平面図である。図７は床部４０の床トレイ４４のブランク４４Ａを示す平面図である。図８はヘッドボード５０のブランク５０Ａを示す平面図である。
【００２０】
［段ボール製ベッドの概要］
図１に示すように、段ボール製ベッド１は、紙製の段ボールで構成されている。この段ボール製ベッド１は、例えば、災害時における避難所での使用やイベントにおける宿泊所での使用等、数日から数か月に亘って使用することができるものである。段ボール製ベッド１の下側には、トランク等の荷物Ｂ１を収容するための収容空間Ｓ１が２箇所に確保され、小さな（細い）荷物Ｂ２を収容するための収容空間Ｓ２が１箇所に確保されている。
【００２１】
段ボール製ベッド１は、４つの脚部１０と、スペーサ２０（図９参照）と、３つのレール部３０と、床部４０と、ヘッドボード５０と、を備えている。４つの脚部１０は、所謂半Ａ式の段ボール箱であって、左右方向（長手方向）に間隔をあけて配置されている。３つのレール部３０は、４つの脚部１０の上部に架け渡されて連結されている。スペーサ２０は、左端（第１方向の最も他端）に配置された脚部１０の内設されている。床部４０は、３つのレール部３０に支持されている。ヘッドボード５０は、左端に配置された脚部１０の内部に差し込まれて床部４０の上面よりも上方に延設されている。なお、４つの脚部１０は同一形状であるため、以下、１つの脚部１０について説明する。これと同様の理由で、１つのレール部３０について説明する。
【００２２】
脚部１０、スペーサ２０、レール部３０、床部４０およびヘッドボード５０は、それぞれ、図２〜図８に示すブランク１０Ａ，２０Ａ，３０Ａ，４２Ａ，４３Ａ，４４Ａ，５０Ａを折り曲げる等することで形成されている。ブランク１０Ａ等は、紙製の段ボールシートを抜型等で打ち抜いて形成されている。スペーサ２０、レール部３０および床部４０の一部は、例えば、波状の中しん９Ａに表裏に表ライナ９Ｂと裏ライナ９Ｃ（図９参照）とを貼り合せた両面段ボールシートで形成されている。また、脚部１０、床部４０の一部およびヘッドボード５０は、例えば、中しん９Ａの片面に裏ライナ９Ｃを貼り付けた片面段ボールシートを、両面段ボールシートの裏ライナ９Ｃに貼り合せた複両面段ボールシートで形成されている。なお、図２ないし図８は表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、「上（天）」、「下（底）」およびこれに類する用語は、段ボール製ベッド１を組み立てた状態（組立状態）における上（天）、下（底）およびこれに類する概念を指している。
【００２３】
［脚部］
図２に示すように、脚部１０のブランク１０Ａは、一対の端壁１１と、一対の側壁１２と、継代片１３と、一対の下内フラップ１４と、一対の下外フラップ１５と、を含んでいる。
【００２４】
＜端壁、側壁、継代片＞
一対の端壁１１と一対の側壁１２とは、段方向に延びた縦折曲線Ｌ１１を介して交互に連設され、流れ方向に一列に並んでいる。端壁１１および側壁１２は、段方向に略同一寸法となる略長方形状に形成されている。端壁１１は、側壁１２よりも流れ方向に幅狭く形成されている。継代片１３は、側壁１２の流れ方向端部に縦折曲線Ｌ１１を介して連設されている。
【００２５】
一対の端壁１１の上部には、１つの側壁１２を挟む縦折曲線Ｌ１１寄りの位置で一対の床係合溝１１Ａが形成されている。床係合溝１１Ａは、端壁１１の上端から下方に向かって縦折曲線Ｌ１１と平行に切り込まれている。一対の側壁１２には、３組の一対の第１係合溝１２Ａが略等間隔に形成されている。第１係合溝１２Ａは、側壁１２の上端から下方に向かって縦折曲線Ｌ１１と平行に切り込まれている。流れ方向両端の第１係合溝１２Ａは、縦折曲線Ｌ１１上に形成されている。各々の第１係合溝１２Ａは、床係合溝１１Ａよりも僅かに短く形成されている。各々の一対の第１係合溝１２Ａの間には、第１係合片１２Ｂが形成されている。
【００２６】
＜下内フラップ＞
一対の下内フラップ１４は、流れ方向に延びた横折曲線Ｌ１２を介して一対の端壁１１の下端部に連設されている。下内フラップ１４は、端壁１１の流れ方向の寸法と略同一幅を有する略長方形状に形成されている。下内フラップ１４の段方向の寸法（延出寸法）は、端壁１１の流れ方向の寸法の半分よりも長く設定されている。下内フラップ１４の段方向中央よりも先端側には、差込折曲線Ｌ１３が流れ方向に延びている。下内フラップ１４の流れ方向の略中央には、段方向に延びる差込溝１４Ａが形成されている。差込溝１４Ａは、下内フラップ１４を流れ方向に略二等分するように、下内フラップ１４の先端から横折曲線Ｌ１２まで切り込まれている。差込溝１４Ａの溝幅は、ブランク１０Ａ（段ボールシート）の厚みの略２倍程度に設定されている。
【００２７】
＜下外フラップ＞
一対の下外フラップ１５は、横折曲線Ｌ１２を介して一対の側壁１２の下端部に連設されている。また、下外フラップ１５の先端部には、差込折曲線Ｌ１３を介して差込片１６が連設されている。下外フラップ１５および差込片１６は、側壁１２の流れ方向の寸法と略同一幅を有する略長方形状に形成されている。下外フラップ１５と差込片１６とを合わせた延出寸法は、下内フラップ１４の延出寸法と略同一になっている。下外フラップ１５の延出寸法は、端壁１１の流れ方向の寸法の略半分に設定されている。
【００２８】
なお、縦折曲線Ｌ１１、横折曲線Ｌ１２および差込折曲線Ｌ１３は、段ボールシートを裏ライナ９Ｃ側から厚み方向に直線状に潰して形成された汎用罫線である。これらの折曲線Ｌ１１〜Ｌ１３は、裏ライナ９Ｃを内側に向けるように段ボールシートを折曲させる機能を有している。また、脚部１０は、端壁１１と側壁１２とが重なるように縦折曲線Ｌ１１で折り曲げられ、且つ継代片１３が端壁１１の内面に接着されて折り畳まれた状態になる。
【００２９】
［スペーサ］
図３に示すように、スペーサ２０のブランク２０Ａは、第１〜第７巻込み壁２１〜２７を含んでいる。第１〜第７巻込み壁２１〜２７は、流れ方向に延びた巻込み折曲線Ｌ２を介して連設され、この順番で段方向に一列に並んでいる。なお、巻込み折曲線Ｌ２は汎用罫線である。
【００３０】
第１〜第７巻込み壁２１〜２７は、それぞれ、側壁１２よりも僅かに流れ方向に幅狭い略長方形状に形成されている。第１巻込み壁２１の段方向の寸法は、脚部１０の端壁１１の下端から床係合溝１１Ａの下端までの最短距離よりも僅かに短く設定されている。第２巻込み壁２２の段方向の寸法は、脚部１０の下外フラップ１５の延出寸法の半分以下に設定されている。第３巻込み壁２３は第１巻込み壁２１よりも段方向に僅かに長く設定され、第４巻込み壁２４は第２巻込み壁２２よりも段方向に僅かに長く設定され、第５巻込み壁２５は第３巻込み壁２３よりも段方向に僅かに長く設定されている。第６巻込み壁２６の段方向の寸法は、第４巻込み壁２４の段方向の寸法よりも十分に長く設定されており、具体的には脚部１０の下外フラップ１５の延出寸法よりも僅かに短く設定されている。第７巻込み壁２７の段方向の寸法は、脚部１０の側壁１２の段方向の寸法よりも僅かに短く設定されている。
【００３１】
また、第３巻込み壁２３には、略四角形状の一対の係止穴２３Ａが開口している。一対の係止穴２３Ａは、第２巻込み壁２２と第３巻込み壁２３との間の巻込み折曲線Ｌ２に沿う位置で、流れ方向に間隔をあけて形成されている。第６巻込み壁２６には、略台形状の一対の係止片２６Ａが形成されている。一対の係止片２６Ａは、第６巻込み壁２６と第７巻込み壁２７との間の巻込み折曲線Ｌ２に沿う位置で、一対の係止穴２３Ａに対応する間隔で切り込まれている。
【００３２】
［レール部］
図４に示すように、レール部３０のブランク３０Ａは、支持壁３１と、一対の垂設壁３２と、を含んでいる。
【００３３】
＜支持壁＞
支持壁３１は、流れ方向に細長い略長方形状に形成されている。支持壁３１の全長は、段ボール製ベッド１の全長よりも若干短く設定されている。支持壁３１の段方向の幅（長さ）は、側壁１２の第１係合片１２Ｂの幅よりも僅かに広く（大きく）設定されている。
【００３４】
＜垂設壁＞
一対の垂設壁３２は、流れ方向に延びたレール折曲線Ｌ３を介して支持壁３１の段方向両端部に連設されている。一対の垂設壁３２は、支持壁３１を挟んで対称となる概ね長方形状に形成されている。なお、レール折曲線Ｌ３は汎用罫線である。
【００３５】
垂設壁３２の先端部には、４つの第２係合片３２Ｂが段方向外側に突き出すように形成されている。流れ方向一端（左端）に配置された第２係合片３２Ｂは、他の３つの第２係合片３２Ｂよりも流れ方向に幅狭く形成されている。また、流れ方向一端に配置された第２係合片３２Ｂを除く３つの第２係合片３２Ｂは、第１の間隔Ｄ１をあけて形成されている。また、流れ方向一端に配置された第２係合片３２Ｂは、隣接する第２係合片３２Ｂから第１の間隔Ｄ１よりも短い（狭い）第２の間隔Ｄ２をあけて形成されている。なお、第１の間隔Ｄ１は、荷物Ｂ１の左右幅に対応しており、例えば５１０ｍｍ程度に設定されている。第２の間隔Ｄ２は、荷物Ｂ２の左右幅に対応しており、第１の間隔Ｄ１よりも十分に狭く設定されている。
【００３６】
流れ方向中間部に配置された２つの第２係合片３２Ｂの流れ方向両端部には、一対の第２係合溝３２Ａが形成されている。また、流れ方向両端に配置された２つの第２係合片３２Ｂの流れ方向内側には１つの第２係合溝３２Ａが形成され、その流れ方向外側には略矩形状の切欠き部３２Ｃが形成されている。第２係合溝３２Ａは、垂設壁３２の先端から基端に向かって切り込まれている。
【００３７】
［床部］
床部４０は、内板部４１と、床トレイ４４と、を含んでいる（図１０参照）。また、内板部４１は、下内板４２と、上内板４３と、を含んでいる（図１０参照）。なお、内板部４１（下内板４２，上内板４３）は複両面段ボールシートで形成され、床トレイ４４は両面段ボールシートで形成されている。
【００３８】
＜下内板＞
図５に示すように、下内板４２のブランク４２Ａは、板本体４２Ｂと、一対の床フラップ４２Ｃと、を含んでいる。板本体４２Ｂは、流れ方向に長い長方形状に形成されている。板本体４２Ｂは、レール部３０の全長と略同一の長さに形成されている。一対の床フラップ４２Ｃは、段方向に延びた内板折曲線Ｌ４０を介して板本体４２Ｂの流れ方向（長手方向）両端部に連設されている。床フラップ４２Ｃは、板本体４２Ｂの段方向の寸法と略同一幅を有する略長方形状に形成されている。床フラップ４２Ｃの流れ方向の寸法（延出寸法）は、端壁１１の床係合溝１１Ａの長さ（高さ）と略同一に設定されている。なお、内板折曲線Ｌ４０は汎用罫線である。
【００３９】
＜上内板＞
図６に示すように、上内板４３のブランク４３Ａは、段方向に長い長方形状に形成されている。ブランク４３Ａは、下内板４２の板本体４２Ｂと略同じ大きさに形成されている。
【００４０】
＜床トレイ＞
図７に示すように、床トレイ４４のブランク４４Ａは、床面板４５と、一対の床側壁４６と、一対の床端壁４７と、４つの床折板４８と、を含んでいる。
【００４１】
（床面板）
床面板４５は、流れ方向に長い略長方形状に形成されている。床面板４５の段方向両端部には、略四角形状の床面穴４５Ａが４個ずつ（合計８個）開口している。
【００４２】
（床側壁）
一対の床側壁４６は、流れ方向に延びた第１床折曲線Ｌ４１を介して床面板４５の段方向両端部に連設されている。一対の床側壁４６は、床面板４５を挟んで段方向に略対称に形成されている。床側壁４６は、床面板４５と流れ方向に略同一寸法となる略長方形状に形成されている。
【００４３】
各々の床側壁４６は、外面板４６Ａと、床縁部４６Ｂと、内面板４６Ｃと、を含んでいる。
【００４４】
一対の外面板４６Ａは、第１床折曲線Ｌ４１を介して床面板４５の段方向両端に連設されている。一対の床縁部４６Ｂは、床折返し線Ｌ４４を介して一対の外面板４６Ａの先端部に連設されている。一対の内面板４６Ｃは、床折返し線Ｌ４４を介して一対の床縁部４６Ｂの先端部に連設されている。すなわち、内面板４６Ｃは２本の床折返し線Ｌ４４を介して外面板４６Ａに連設され、床縁部４６Ｂは２本の床折返し線Ｌ４４の間に形成されている。なお、第１床折曲線Ｌ４１および床折返し線Ｌ４４は汎用罫線である。
【００４５】
外面板４６Ａおよび内面板４６Ｃの段方向の寸法（延出寸法）は、下内板４２の床フラップ４２Ｃの延出寸法よりも僅かに長く形成されている。床縁部４６Ｂの段方向の寸法（延出寸法）は、段ボールシートの厚さよりも僅かに長く設定されている。各々の内面板４６Ｃの先端部には、４つの床係合突起４６Ｄが突設されている。４つの床係合突起４６Ｄは、床面板４５に第１床折曲線Ｌ４１に沿って開口した４つの床面穴４５Ａに対応するように形成されている。
【００４６】
（床端壁）
一対の床端壁４７は、段方向に延びた第２床折曲線Ｌ４２を介して床面板４５の流れ方向両端部に連設されている。一対の床端壁４７は、床面板４５を挟んで流れ方向に対称に形成されている。床端壁４７は、床面板４５と段方向に略同一寸法となる略長方形状に形成されている。床端壁４７の段方向の寸法（延出寸法）は、外面板４６Ａの延出寸法と略同一に設定されている。なお、第２床折曲線Ｌ４２は汎用罫線である。
【００４７】
（床折板）
４つの床折板４８は、流れ方向に延びた第３床折曲線Ｌ４３を介して一対の床端壁４７の段方向両端部に連設されている。床折板４８は、床端壁４７の端部から床側壁４６の先端に並ぶ位置まで延びている。つまり、４つの床折板４８は、ブランク４４Ａの四隅に配置されている。なお、第３床折曲線Ｌ４３は汎用罫線である。
【００４８】
［ヘッドボード］
図８に示すように、ヘッドボード５０のブランク５０Ａは、第１本体壁５１と、第２本体壁５２と、一対の第１折返し壁５３と、一対の第２折返し壁５４と、を含んでいる。
【００４９】
＜第１本体壁、第２本体壁＞
第１本体壁５１は、流れ方向に延びた２本の本体折返し線Ｌ５１を介して第２本体壁５２の段方向端部に連設されている。２本の本体折返し線Ｌ５１の間には、流れ方向に細長い略長方形状の上縁部５５が形成されている。第１本体壁５１および第２本体壁５２は、流れ方向に長い略長方形状に形成されている。各本体壁５１，５２において、その上縁部５５側の略半分の流れ方向の寸法は脚部１０の側壁１２の流れ方向の寸法よりも長く設定され、その段方向両側の略半分の流れ方向の寸法は側壁１２の流れ方向の寸法よりも僅かに短く設定されている。
【００５０】
＜第１折返し壁、第２折返し壁＞
一対の第１折返し壁５３は２本の側部折返し線Ｌ５２を介して第１本体壁５１の流れ方向両端部に連設され、一対の第２折返し壁５４は２本の側部折返し線Ｌ５２を介して第２本体壁５２の流れ方向両端部に連設されている。側部折返し線Ｌ５２は、各本体壁５１，５２の上縁部５５側（上側）の略半分に形成され、各本体壁５１，５２の段方向両端側の略半分には形成されていない。したがって、各折返し壁５３，５４は、各本体壁５１，５２の略上半分に連設されている。２本の側部折返し線Ｌ５２の間には、段方向に細長い略長方形状の側縁部５６，５７が形成されている。また、側縁部５６，５７よりも段方向両側で、各本体壁５１，５２と各折返し壁５３，５４との間には、側縁部５６，５７よりも流れ方向に幅広い側溝Ｇが形成されている。
【００５１】
第１折返し壁５３および第２折返し壁５４は、段方向に長い略長方形状に形成されている。各折返し壁５３，５４の段方向の寸法は各本体壁５１，５２の段方向の寸法と略同一であり、各折返し壁５３，５４の流れ方向の寸法は各本体壁５１，５２の流れ方向の寸法の略半分に設定されている。一方の第１折返し壁５３および一方の第２折返し壁５４の流れ方向先端部には、３つの凹部５３Ａ，５４Ａが凹設されている。３つの凹部５３Ａ，５４Ａは、段方向に略等間隔に配置され、流れ方向内側に向かって段方向に広くなる略台形状に凹んでいる。他方の第１折返し壁５３および他方の第２折返し壁５４の流れ方向先端部には、３つの凸部５３Ｂ，５４Ｂが凸設されている。３つの凸部５３Ｂ，５４Ｂは、凹部５３Ａ，５４Ａに対応する位置で、凹部５３Ａ，５４Ａに嵌合可能な略台形状に形成されている。
【００５２】
［段ボール製ベッドの組立］
次に、図９ないし図１７を参照して、段ボール製ベッド１の組立工程について説明する。図９は脚部１０、スペーサ２０およびレール部３０を示す分解斜視図である。図１０は脚部１０等、内板部４１および床トレイ４４を示す分解斜視図である。図１１は脚部１０等、床部４０およびヘッドボード５０を示す分解斜視図である。図１２は脚部１０を底側から見た斜視図である。図１３は、図１０のＸＩＩＩ−ＸＩＩＩ断面図である。図１４はスペーサ２０の組立途中を示す斜視図である。図１５は床トレイ４４を底側から見た斜視図である。図１６は、図１１のＸＶＩ−ＸＶＩ断面図である。図１７はヘッドボード５０の組立途中を示す斜視図である。
【００５３】
＜脚部の組立＞
作業者は、折り畳まれた脚部１０を広げ、略直方体状の脚部１０を組み立てる。具体的には、図９および図１２に示すように、作業者は、一対の端壁１１と一対の側壁１２とを縦折曲線Ｌ１１で略直角に折り曲げ、上下両端面を開口した角筒状の周壁１０Ｗを形成する。一対の端壁１１は前後方向に対向し、一対の側壁１２は左右方向に対向する。
【００５４】
次に、図１２に示すように、作業者は、一対の下内フラップ１４を横折曲線Ｌ１２に沿って周壁１０Ｗの内側に折り曲げる。また、作業者は、一対の差込片１６を差込折曲線Ｌ１３に沿って裏ライナ９Ｃを内側に向けるように折り曲げる。そして、図１３に示すように、作業者は、一対の下外フラップ１５を横折曲線Ｌ１２に沿って周壁１０Ｗの内側に折り曲げながら、一対の差込片１６の先端部を一対の下内フラップ１４の差込溝１４Ａに差し込む。すると、周壁１０Ｗの下端部に連設された下外フラップ１５が周壁１０Ｗの下端面を閉じた状態になり、差込片１６が周壁１０Ｗの内側に差し込まれた状態になる。
【００５５】
以上によって、脚部１０の組立が完了する。なお、脚部１０の上端面には、上面開口１０Ｕが開口している。また、作業者は、上記と同様の手順で脚部１０を４つ組み立てる。
【００５６】
図９に示すように、作業者は、組み立てた４つの脚部１０を、上面開口１０Ｕを上方に向け、且つ床係合溝１１Ａを左側に向けた姿勢とし、側壁１２同士を対向させるように左右方向に間隔をあけて配置する。４つの脚部１０は、右方から左方に向かって第１の間隔Ｄ１をあけて３つ配置され、且つ左方の脚部１０の左端面（側壁１２）に対して第２の間隔Ｄ２をあけて１つ配置される。
【００５７】
＜スペーサの組立＞
次に、作業者は、ブランク２０Ａからスペーサ２０を組み立てる。具体的には、図１３および図１４に示すように、作業者は、第１〜第７巻込み壁２１〜２７を、この順番で巻込み折曲線Ｌ２に沿って略直角に折り曲げる。第１〜第７巻込み壁２１〜２７は、この順番で角筒状に巻き込まれて行く。なお、作業者は、第７巻込み壁２７を折り曲げる前に、第６巻込み壁２６の一対の係止片２６Ａを立ち上げて第３巻込み壁２３の一対の係止穴２３Ａに押し込む。これにより、第１〜第６巻込み壁２１〜２６を巻き込んだ状態が保持され、第１〜第６巻込み壁２１〜２６が巻き戻されることを防止することができる。最後に、作業者は、第７巻込み壁２７を折り曲げて第３巻込み壁２３に対向させる（図９および図１３参照）。
【００５８】
以上によって、スペーサ２０の組立が完了する。なお、第６巻込み壁２６は第４巻込み壁２４よりも十分に幅広いため、第３巻込み壁２３と第７巻込み壁２７との間には、隙間（以下、「支持溝２８」ともいう。）が形成される（図９および図１３参照）。詳細は後述するが、支持溝２８は、ヘッドボード５０の下部を差し込むための溝である。
【００５９】
図９および図１３に示すように、作業者は、組み立てたスペーサ２０を、最も左方に配置された脚部１０の内部に嵌合させる。詳細には、作業者は、第７巻込み壁２７を左側の側壁１２に沿わせながら、スペーサ２０の下部を左側の側壁１２と左側の下外フラップ１５の差込片１６との間に嵌合させる。スペーサ２０は、一対の下内フラップ１４上に載置される。
【００６０】
＜レール部の組立＞
次に、作業者は、ブランク３０Ａからレール部３０を組み立てる。具体的には、図９に示すように、作業者は、一対の垂設壁３２をレール折曲線Ｌ３に沿って略直角に折り曲げる。一対の垂設壁３２は支持壁３１の両端部から垂れ下がり、レール部３０は側面から見て天地を逆にした略Ｕ字状に形成される。
【００６１】
以上によって、レール部３０の組立が完了する。なお、作業者は、上記と同様の手順でレール部３０を３つ組み立てる。
【００６２】
図９および図１０に示すように、作業者は、組み立てた３つのレール部３０を、４つの脚部１０の上部に架け渡すように配置する。詳細には、作業者は、３つのレール部３０を４つの脚部１０の前後方向両端部と中央部とに配置する。作業者は、レール部３０の第２係合片３２Ｂを脚部１０の上面開口１０Ｕに差し込みながらレール部３０の第２係合溝３２Ａを脚部１０の第１係合溝１２Ａに噛み合わせる。なお、この状態で、側壁１２の第１係合片１２Ｂは、逆Ｕ字状のレール部３０の内部に進入している。また、レール部３０の右端部の切欠き部３２Ｃは、右端の脚部１０の第１係合溝１２Ａに噛み合っている（図１０参照）。また、レール部３０の左端部の切欠き部３２Ｃは、脚部１０に内包されたスペーサ２０の第４巻込み壁２４と第５巻込み壁２５とで構成された角部に当接している（図１３参照）。レール部３０は、スペーサ２０の支持溝２８を避けた位置に配置される（図１３参照）。以上によって、３つのレール部３０が４つの脚部１０に連結され、４つの脚部１０が所定の間隔に保持される（図１０参照）。
【００６３】
＜床部の組立＞
次に、作業者は、ブランク４２Ａ，４３Ａから内板部４１を組み立て、ブランク４４Ａから床トレイ４４を組み立てる。また、作業者は、内板部４１および床トレイ４４から床部４０を組み立てる。
【００６４】
（内板部の組立）
図１０に示すように、作業者は、接着剤を介して上内板４３を下内板４２の板本体４２Ｂに貼り付ける。また、作業者は、下内板４２の一対の床フラップ４２Ｃを内板折曲線Ｌ４０に沿って下方に折り曲げる。以上によって、内板部４１の組立が完了する。この状態で、上内板４３の中しん９Ａと下内板４２の中しん９Ａとは直交している。なお、接着剤としては、例えば、ホットメルト接着剤、合成樹脂系エマルジョン接着剤または両面テープ等を用いることができる。
【００６５】
図１０および図１３に示すように、作業者は、内板部４１を３つのレール部３０上に配置する。詳細には、作業者は、左側の床フラップ４２Ｃを左端の脚部１０の床係合溝１１Ａに差し込みながら内板部４１を３つのレール部３０に載せる。すると、下内板４２の板本体４２Ｂは、３つのレール部３０の上面（支持壁３１）に載置される。左側の床フラップ４２Ｃは、その先端部をスペーサ２０の第４巻込み壁２４に当接させ、且つ各レール部３０の左端面に重なる（図１３参照）。また、右側の床フラップ４２Ｃは、右端の脚部１０の上部および各レール部３０の右端面に重なる。
【００６６】
（床トレイの組立）
図１５に示すように、作業者は、一対の床端壁４７を第２床折曲線Ｌ４２に沿って略直角に折り曲げる。また、作業者は、４つの床折板４８を第３床折曲線Ｌ４３に沿って内側に略直角に折り曲げる。
【００６７】
続いて、作業者は、一対の外面板４６Ａを第１床折曲線Ｌ４１に沿って上方に折り曲げ、外面板４６Ａを床折板４８の外面に重ねる。作業者は、一対の床縁部４６Ｂを床折返し線Ｌ４４に沿って内側に折り曲げ、且つ一対の内面板４６Ｃを床折返し線Ｌ４４に沿って下方に折り曲げる。床縁部４６Ｂは床折板４８を外側から内側に跨いで、内面板４６Ｃは床折板４８の内面に重なる。つまり、外面板４６Ａ、床縁部４６Ｂおよび内面板４６Ｃは、床折板４８を巻き込むように折り曲げられる。また、作業者は、一対の外面板４６Ａの各床係合突起４６Ｄを床面板４５の床面穴４５Ａに嵌め込む。
【００６８】
以上によって、床トレイ４４の組立が完了する。この状態で、一対の床側壁４６と一対の床端壁４７とは、床面板４５の周縁部から下方に延びた状態に形成される床周壁４４Ｗを構成する。また、床側壁４６は、床折板４８を挟んで外面板４６Ａと内面板４６Ｃと対向させた二重壁構造に形成される。
【００６９】
図１０、図１１および図１６に示すように、作業者は、内板部４１を覆い隠すように床トレイ４４を配置する。詳細には、作業者は、左側の床端壁４７を左端の脚部１０の床係合溝１１Ａに差し込みながら３つのレール部３０と内板部４１とを床周壁４４Ｗの内部に押し込む。すると、床トレイ４４の床面板４５は内板部４１の上内板４３に重なり、床トレイ４４の床周壁４４Ｗは４つの脚部１０の上部に嵌合する（図１１参照）。また、床部４０（内板部４１および床トレイ４４）は、スペーサ２０の支持溝２８を避けた位置に配置される（図１６参照）。以上によって、内板部４１はレール部３０と床トレイ４４との間に挟まれて固定され、レール部３０は内板部４１と脚部１０との間に挟まれて固定される（図１６参照）。この状態で、床トレイ４４（床面板４５）の中しん９Ａは、上内板４３の中しん９Ａと直交し、下内板４２の中しん９Ａと平行に延びている。
【００７０】
＜ヘッドボードの組立＞
次に、作業者は、ブランク５０Ａからヘッドボード５０を組み立てる。具体的には、図１１および図１７に示すように、作業者は、一対の第１折返し壁５３と一対の側縁部５６とを側部折返し線Ｌ５２に沿って第１本体壁５１に重なるように折り返す。一方の第１折返し壁５３の凸部５３Ｂは、他方の第１折返し壁５３の凹部５３Ａに嵌合する。また、これと同様に、作業者は、一対の第２折返し壁５４と一対の側縁部５７とを側部折返し線Ｌ５２に沿って第２本体壁５２に重なるように折り返し、凸部５４Ｂを凹部５４Ａに嵌合させる。次に、作業者は、第１本体壁５１（または第２本体壁５２）と上縁部５５とを本体折返し線Ｌ５１に沿って、第１折返し壁５３と第２折返し壁５４とが重なるように折り返す。以上によって、ヘッドボード５０の組立が完了する（図１１参照）。
【００７１】
図１１および図１６に示すように、作業者は、第１本体壁５１を右側に向けた姿勢でヘッドボード５０の下側半分（側溝Ｇが形成された部分）を、脚部１０に内包されたスペーサ２０の支持溝２８に差し込む。ヘッドボード５０は、スペーサ２０を介して起立姿勢で支持される。なお、ヘッドボード５０は、第２本体壁５２を右側に向けた姿勢としてスペーサ２０に支持させてもよい。
【００７２】
以上によって、段ボール製ベッド１が完成する（図１参照）。この段ボール製ベッド１では、例えば、床トレイ４４（床面板４５）の上面にはマット等（図示せず）が敷かれ、その上にユーザが横になることができる。
【００７３】
図１に示すように、この段ボール製ベッド１では、第１の間隔Ｄ１で配置された３つの脚部１０の間に２つの収容空間Ｓ１が形成されている。正確には、第１の間隔Ｄ１で互いに隣り合う脚部１０の間と、レール部３０または床部４０とによって囲まれた範囲には、荷物Ｂ１を収容可能な収容空間Ｓ１が形成されている。これと同様に、第２の間隔Ｄ２で隣り合う脚部１０の間には、収容空間Ｓ１よりも幅狭い収容空間Ｓ２が形成されている。
【００７４】
以上説明した本実施形態に係る段ボール製ベッド１では、４つの脚部１０が左右方向（長手方向）に所定の間隔で配置され、４つの脚部１０に架設された３つのレール部３０に床部４０を支持させることで、床部４０が部屋の設置面から上方に離れた位置に設けられていた。この構成によれば、隣接する脚部１０の間に形成された収容空間Ｓ１，Ｓ２に対し、前後方向（短手方向）から荷物Ｂ１，Ｂ２を出し入れすることができる。このように、荷物Ｂ１等を収容空間Ｓ１等に収容することができるため、段ボール製ベッド１を設置する部屋のスペースを有効に利用することができる。
【００７５】
また、段ボール製ベッド１は、４つの脚部１０にレール部３０を架け渡して、そのレール部３０に床部４０を支持させることで組み立てられる。この構成によれば、脚部１０、レール部３０および床部４０の順に組み上げて行くという直感的な工程（作業）で、段ボール製ベッド１を容易に組み立てることができる。
【００７６】
また、本実施形態に係る段ボール製ベッド１では、脚部１０が上端面を開口させた所謂半Ａ式の段ボール箱で構成されていた。この構成によれば、圧縮強度が高い脚部１０を安価に製造することができる。
【００７７】
また、本実施形態に係る段ボール製ベッド１では、差込片１６が周壁１０Ｗの内側に差し込まれることで下外フラップ１５を閉じた状態に維持する構成とした。この構成によれば、下外フラップ１５を周壁１０Ｗに固定するための粘着テープ等を省略することができる。これにより、周壁１０Ｗの下端面を下外フラップ１５で簡単に閉塞することができるため、段ボール製ベッド１を組立作業の容易化を更に向上させることができる。
【００７８】
また、本実施形態に係る段ボール製ベッド１によれば、レール部３０の下端から上方に切り込まれた第２係合溝３２Ａが脚部１０の第１係合溝１２Ａに噛み合うことで、レール部３０を脚部１０に確りと連結することができる。
【００７９】
また、本実施形態に係る段ボール製ベッド１では、床トレイ４４が内板部４１を覆うと共に４つの脚部１０の上部に嵌合する構成とした。この構成によれば、レール部３０および内板部４１が床トレイ４４（床周壁４４Ｗ）の内部に配置されるため、内板部４１がレール部３０上から脱落することを防止することができる。また、レール部３０が脚部１０から分離することも防止することができ、脚部１０のがたつきを抑えることができる。さらに、床トレイ４４の床面板４５が内板部４１に重なるため、床部４０の強度を向上させることができる。
【００８０】
また、本実施形態に係る段ボール製ベッド１によれば、上内板４３が下内板４２の板本体４２Ｂの上面に重ねて配置され、床トレイ４４（床面板４５）が内板部４１（上内板４３）を覆うことで、三重壁構造の床部４０を構成することができる。これにより、ユーザが横になる床部４０の強度を向上させることができる。
【００８１】
また、本実施形態に係る段ボール製ベッド１によれば、脚部１０はヘッドボード５０を差し込むことができる構造であるため、ユーザの必要に応じてヘッドボード５０を着脱することができる。
【００８２】
また、本実施形態に係る段ボール製ベッド１では、レール部３０および床部４０がヘッドボード５０の差し込みを許容するためにスペーサ２０の支持溝２８を避けた位置に配置されていた。そして、ヘッドボード５０がスペーサ２０を介して脚部１０に支持される構成とした。この構成によれば、例えば、ヘッドボード５０（または脚部１０）の形状を変更したとしても、その変更に応じてスペーサ２０を設計変更すればよく、脚部１０（またはヘッドボード５０）まで設計変更する必要がない。つまり、ヘッドボード５０や脚部１０等の設計変更に対して低コストで柔軟に対応することができる。
【００８３】
なお、第１実施形態に係る段ボール製ベッド１では、４つの脚部１０が配置されていたが、本考案はこれに限定されない。脚部１０は、２つまたは３つであってもよいし、４つ以上であってもよい。つまり、少なくとも２つ以上の脚部１０が間隔をあけて配置されていればよい。
【００８４】
［第２実施形態：段ボール製ベッド］
次に、図１８を参照して、第２実施形態に係る段ボール製ベッド２について説明する。図１８は段ボール製ベッド２を示す分解斜視図である。なお、以下の説明では、第１実施形態に係る段ボール製ベッド１と同様または対応する構成については同一の符号を付し、段ボール製ベッド１と同様または対応する説明は省略する。
【００８５】
第１実施形態に係る段ボール製ベッド１ではレール部３０や床部４０が左右方向（長手方向）に亘って一体に形成されていたが、第２実施形態に係る段ボール製ベッド２ではレール部６０や床部７０が長手方向に分割されている点で相違する。
【００８６】
レール部６０は、左右方向に一列に並べられた２つの分割レール部６５を含んでいる。右側の分割レール部６５は２つの脚部１０の間に架設され、左側の分割レール部６５は３つの脚部１０に亘って架設されている。床部７０（内板部７１（下内板７２，上内板７３）および床トレイ７４（床面板７５，床周壁７４Ｗ））は、複数の分割レール部６５に対応して左右方向に一列に並べられた２つの分割床部７６を含んでいる。
【００８７】
以上説明した第２実施形態に係る段ボール製ベッド２でも、第１実施形態に係る段ボール製ベッド１と同一の作用、効果を得ることができる。また、分割レール部６５や分割床部７６は、分割していないレール部３０や床部４０に比べて、長手方向に短くなるため、分割レール部６５や分割床部７６を構成する段ボールシートの面積を小さくすることができる。これにより、レール部６０や床部７０の運送コストを低下させることができる。また、レール部６０や床部７０は分割されることで持ち運びが容易になるため、狭い部屋での段ボール製ベッド２の組立作業を効率良く行うこともできる。
【００８８】
なお、第２実施形態に係る段ボール製ベッド２では、レール部６０が２つの分割レール部６５に分割され、床部７０が２つの分割床部７６に分割されていたが、本考案はこれに限定されない。レール部６０が３つ以上の分割レール部６５に分割され、床部７０が３つ以上の分割床部７６に分割されてもよい。また、この段ボール製ベッド２では、複数の脚部１０が３つ以上配置されることが必要である。
【００８９】
また、第２実施形態に係る段ボール製ベッド２では、２つの分割レール部６５等の継ぎ目が、右から２番目の脚部１０に設定されていたが、本考案はこれに限定されない。例えば、２つの分割レール部６５等の継ぎ目は右から３番目の脚部１０に設定されてもよい。つまり、分割レール部６５等は、少なくとも隣り合う２つの脚部１０に架設されていればよい。
【００９０】
なお、第１および第２実施形態に係る段ボール製ベッド１，２では、３つの脚部１０が第１の間隔Ｄ１で配置され、左端の脚部１０が第２の間隔Ｄ２で配置されていたが、本考案はこれに限定されない。例えば、全ての脚部１０が第１の間隔Ｄ１で配置されていてもよいし、隣接する２つの脚部１０のみが第１の間隔Ｄ１で配置されていてもよい。また、隣接する脚部１０は第１の間隔Ｄ１以上の間隔で配置されていてもよい。すなわち、脚部１０の配置間隔は、収容したい荷物の大きさに応じて自由に設定することができる。
【００９１】
また、第１および第２実施形態に係る段ボール製ベッド１，２では、差込片１６が周壁１０Ｗの内側に差し込まれることで下外フラップ１５を閉じていたが、本考案はこれに限定されない。例えば、差込片１６を省略し、一対の下外フラップ１５の突き合せ部分に粘着テープを貼り付けてもよいし、接着剤で一対の下外フラップ１５を一対の下内フラップ１４に接着してもよい。
【００９２】
また、第１および第２実施形態に係る段ボール製ベッド１，２では、３つのレール部３０，６０が設けられていたが、本考案はこれに限定されない。レール部３０，６０は、２つ以上設けられていればよい。
【００９３】
また、第１および第２実施形態に係る段ボール製ベッド１，２では、床部４０，７０が三重壁構造であったが、本考案はこれに限定されない。例えば、床部４０，７０から内板部４１，７１を省略してもよい。また、例えば、内板部４１から下内板４２，７２または上内板４３，７３を省略してもよい。
【００９４】
また、第１および第２実施形態に係る段ボール製ベッド１，２では、内板部４１の下内板４２に一対の床フラップ４２Ｃが連設されていたが、これに限らず、床フラップ４２Ｃは省略してもよい。また、下内板４２と上内板４３とを接着していたが、接着せずに、上内板４３を下内板４２に重ねるだけでもよい。
【００９５】
また、第１および第２実施形態に係る段ボール製ベッド１，２では、ヘッドボード５０が備えられていたが、本考案はこれに限定されない。ヘッドボード５０は省略してもよい。この場合、スペーサ２０も省略され、レール部３０および床部４０は、全ての脚部１０の全域に架け渡されることが好ましい。
【００９６】
また、第１および第２実施形態に係る段ボール製ベッド１，２では、スペーサ２０、レール部３０および床トレイ４４が両面段ボールシートで形成され、脚部１０、内板部４１およびヘッドボード５０が複両面段ボールシートで形成されていたが、本考案はこれに限定されない。これらの複数の部品を構成する段ボールシートの種類や厚みは、耐荷重性能や使用環境等の諸条件に応じて適宜変更してもよい。
【００９７】
なお、上記実施形態の説明は、本考案に係る段ボール製ベッドの一態様を示すものであって、本考案の技術範囲は、上記実施形態に限定されるものではない。
【符号の説明】
【００９８】
１，２          段ボール製ベッド
１０            脚部
１０Ｗ          周壁
１２Ａ          第１係合溝
１５            下外フラップ（フラップ）
１６            差込片
２０            スペーサ
２８            支持溝
３０，６０      レール部
３２Ａ          第２係合溝
４０，７０      床部
４１，７１      内板部
４２，７２      下内板
４２Ｂ          板本体
４２Ｃ          床フラップ
４３，７３      上内板
４４，７４      床トレイ
４４Ｗ，７４Ｗ  床周壁
４５，７５      床面板
５０            ヘッドボード
６５            分割レール部
７６            分割床部
Ｂ１，Ｂ２      荷物
Ｓ１，Ｓ２      収容空間
【図１】
0003215781.tif 000003
【図２】
0003215781.tif 000004
【図３】
0003215781.tif 000005
【図４】
0003215781.tif 000006
【図５】
0003215781.tif 000007
【図６】
0003215781.tif 000008
【図７】
0003215781.tif 000009
【図８】
0003215781.tif 000010
【図９】
0003215781.tif 000011
【図１０】
0003215781.tif 000012
【図１１】
0003215781.tif 000013
【図１２】
0003215781.tif 000014
【図１３】
0003215781.tif 000015
【図１４】
0003215781.tif 000016
【図１５】
0003215781.tif 000017
【図１６】
0003215781.tif 000018
【図１７】
0003215781.tif 000019
【図１８】
0003215781.tif 000020